(57)【特許請求の範囲】
【請求項１】
第１の基地局と無線通信を行っているときに前記第１の基地局から受信した無線フレームの受信信号強度が第１のしきい値よりも小さいとき、前記第１の基地局と同じネットワーク識別子を有する第２の基地局へ前記ネットワーク識別子に基づいて生成したウェイクアップ信号をフレーム長変調によって送信する送信手段と、
前記第２の基地局から制御フレームを受信したときの受信信号強度が前記第１のしきい値以上に設定された第２のしきい値よりも大きいとき接続先を前記第１の基地局から前記第２の基地局へ切り替える切替手段と、
前記送信手段が前記ウェイクアップ信号を送信した後、全てのチャネルでバックグラウンドスキャンを行って前記第２の基地局から前記制御フレームを受信する受信手段と、
前記受信手段が前記制御フレームを受信したときの受信信号強度を検出する検出手段と、
を備え、
前記送信手段は、
前記第１の基地局との無線通信に用いられているデータである無線通信用データに前記ウェイクアップ信号を重畳して送信する、
無線装置。
【請求項２】
前記送信手段は、
前記無線通信用データに、ビット列パターンに対応付けたバイト数のパディングデータを付加することで、パディング付加データを生成し、生成したパディング付加データに対してフレーム長変調を行うことで無線送信用信号を取得し、取得した前記無線送信用信号を送信することで、前記無線通信用データに前記ウェイクアップ信号を重畳して送信する、
請求項１に記載の無線装置。
【請求項３】
前記送信手段は、
前記無線通信用データを、ビット列パターンに対応付けた伝送レートにより、フレーム長変調を行うことで無線送信用信号を取得し、取得した前記無線送信用信号を送信することで、前記無線通信用データに前記ウェイクアップ信号を重畳して送信する、
請求項１に記載の無線装置。
【請求項４】
前記送信手段は、
前記無線通信用データを、ビット列パターンに対応付けたフラグメンテーションにより分割することで、分割データを取得し、前記分割データに対してフレーム長変調を行うことで無線送信用信号を取得し、取得した前記無線送信用信号を送信することで、前記無線通信用データに前記ウェイクアップ信号を重畳して送信する、
請求項１に記載の無線装置。
【請求項５】
前記送信手段は、前記第１の基地局と無線通信を行っているチャネルと異なるチャネルを用いて前記ウェイクアップ信号を送信する、
請求項１から４のいずれかに記載の無線装置。
【請求項６】
送信手段が、第１の基地局と無線通信を行っているときに前記第１の基地局から受信した無線フレームの受信信号強度が第１のしきい値よりも小さいとき、前記第１の基地局と同じネットワーク識別子を有する第２の基地局へ前記ネットワーク識別子に基づいて生成したウェイクアップ信号をフレーム長変調によって送信する第１のステップと、
切替手段が、前記第２の基地局から制御フレームを受信したときの受信信号強度が前記第１のしきい値以上に設定された第２のしきい値よりも大きいとき接続先を前記第１の基地局から前記第２の基地局へ切り替える第２のステップと、
受信手段が、前記送信手段が前記ウェイクアップ信号を送信した後、全てのチャネルでバックグラウンドスキャンを行って前記第２の基地局から前記制御フレームを受信する第３のステップと、
検出手段が、前記受信手段が前記制御フレームを受信したときの受信信号強度を検出する第４のステップと、
を備え、
前記第１のステップにおいて、前記送信手段は、前記第１の基地局との無線通信に用いられているデータである無線通信用データに前記ウェイクアップ信号を重畳して送信する、
基地局の切替方法。
【請求項７】
前記第１のステップにおいて、前記送信手段は、
前記無線通信用データに、ビット列パターンに対応付けたバイト数のパディングデータを付加することで、パディング付加データを生成し、生成したパディング付加データに対してフレーム長変調を行うことで無線送信用信号を取得し、取得した前記無線送信用信号を送信することで、前記無線通信用データに前記ウェイクアップ信号を重畳して送信する、
請求項６に記載の切替方法。
【請求項８】
前記第１のステップにおいて、前記送信手段は、
前記無線通信用データを、ビット列パターンに対応付けた伝送レートにより、フレーム長変調を行うことで無線送信用信号を取得し、取得した前記無線送信用信号を送信することで、前記無線通信用データに前記ウェイクアップ信号を重畳して送信する、
請求項６に記載の切替方法。
【請求項９】
前記第１のステップにおいて、前記送信手段は、
前記無線通信用データを、ビット列パターンに対応付けたフラグメンテーションにより分割することで、分割データを取得し、前記分割データに対してフレーム長変調を行うことで無線送信用信号を取得し、取得した前記無線送信用信号を送信することで、前記無線通信用データに前記ウェイクアップ信号を重畳して送信する、
請求項６に記載の切替方法。
【請求項１０】
前記第１のステップにおいて、前記送信手段は、前記第１の基地局と無線通信を行っているチャネルと異なるチャネルを用いて前記ウェイクアップ信号を送信する、
請求項６から９のいずれかに記載の基地局の切替方法。
【発明の詳細な説明】
【技術分野】
【０００１】
この発明は、無線装置およびそれにおける基地局の切替方法に関するものである。
【背景技術】
【０００２】
無線ＬＡＮ（Ｌｏｃａｌ  Ａｒｅａ  Ｎｅｔｗｏｒｋ）は、家庭やオフィスなどで広く使われている。無線ＬＡＮが普及するとともに、多くのアクセスポイント（ＡＰ）が設置されるが、これらのＡＰは、たとえ、通信データが発生しなくても、通常、電源がオンされたままで使用される。
【０００３】
このような、“つけっぱなし”になっているＡＰが過半数の時間で使用されていないため、電力は、無駄に消費される。
【０００４】
センサーネットワークでは、ウェイクアップ受信機を用いて通信が必要となっているときだけ、データの送信先をウェイクアップする手法が検討されている。
【０００５】
非特許文献１では、無線ＬＡＮカードよりも低い電力を消費する８０２．１５．４sensor motesを用いて同じ周波数である無線ＬＡＮチャネルを観測し、送信元からの電波を検知すると、自端末の無線ＬＡＮカードをウェイクアップする手法が提案されている。
【０００６】
また、特許文献１〜３および非特許文献２では、より低い電力を消費するウェイクアップ受信機を用いて無線ＬＡＮカードをウェイクアップする手法が提案されている。
【０００７】
更に、特許文献１，２および非特許文献２では、ウェイクアップ信号の周波数が無線ＬＡＮの周波数と異なるので、２つのアンテナが必要である。
【先行技術文献】
【特許文献】
【０００８】
【特許文献１】特表２００７−５２６６５５号公報
【特許文献２】国際公開第０４／１００５０３号パンフレット
【特許文献３】米国特許出願公開第２００７／０２５３４６８号明細書
【非特許文献】
【０００９】
【非特許文献１】Nilesh Mishra, Kameswari Chebrolu, Bhaskaran Raman, Abhinav Pathak, Wakeon WLAN, WWW 2006.
【非特許文献２】石田繁己、鈴木誠、森戸貴、森川博之，低受信待機電力無線通信のための多段ウェイクアップ機構，IEICE technical report, information networks 107(525), 355-360, 2008-02-28.
【発明の概要】
【発明が解決しようとする課題】
【００１０】
しかし、従来の技術においては、アクセスポイントが無線ＬＡＮモジュールを停止するスリープ状態にあるときに、迅速にハンドオーバーを行うことができないという問題がある。
【００１１】
そこで、この発明は、かかる問題を解決するためになされたものであり、その目的は、基地局がスリープ状態にあっても迅速にハンドオーバーできる無線装置を提供することである。
【００１２】
また、この発明の別の目的は、基地局がスリープ状態にあっても迅速にハンドオーバーできる基地局の切替方法を提供することである。
【課題を解決するための手段】
【００１３】
この発明の実施の形態によれば、無線装置は、送信手段と、切替手段とを備える。送信手段は、第１の基地局と無線通信を行っているときに第１の基地局から受信した無線フレームの受信信号強度が第１のしきい値よりも小さいとき、第１の基地局と同じネットワーク識別子を有する第２の基地局へネットワーク識別子に基づいて生成したウェイクアップ信号を送信する。切替手段は、第２の基地局から制御フレームを受信したときの受信信号強度が第１のしきい値以上に設定された第２のしきい値よりも大きいとき接続先を第１の基地局から第２の基地局へ切り替える。
【００１４】
また、この発明の実施の形態によれば、基地局の切替方法は、送信手段が、第１の基地局と無線通信を行っているときに第１の基地局から受信した無線フレームの受信信号強度が第１のしきい値よりも小さいとき、第１の基地局と同じネットワーク識別子を有する第２の基地局へネットワーク識別子に基づいて生成したウェイクアップ信号を送信する第１のステップと、切替手段が、第２の基地局から制御フレームを受信したときの受信信号強度が第１のしきい値以上に設定された第２のしきい値よりも大きいとき接続先を第１の基地局から第２の基地局へ切り替える第２のステップとを備える。
【発明の効果】
【００１５】
この発明の実施の形態によれば、無線装置は、第１の基地局と無線通信を行っているときに第１の基地局から受信した無線フレームの受信信号強度が第１のしきい値よりも小さいとき、第２の基地局へウェイクアップ信号を送信して第２の基地局を起動状態へ移行させ、第２の基地局から受信した制御フレームの受信信号強度が第２のしきい値よりも大きいとき、第１の基地局から第２の基地局へ接続先を切り替える。
【００１６】
従って、第２の基地局がスリープ状態であっても、迅速にハンドオーバーできる。
【図面の簡単な説明】
【００１７】
【図１】この発明の実施の形態における無線通信ネットワークの概略図である。
【図２】図１に示す基地局の構成図である。
【図３】図２に示すウェイクアップ信号受信機の構成図である。
【図４】図１に示す端末装置の実施の形態１における構成を示す概略図である。
【図５】ビット列とフレーム長との関係を示す図である。
【図６】包絡線検波およびビット判定の概念図である。
【図７】累積値とビット列との変換表を示す図である。
【図８】実施の形態１における基地局の切替方法を説明するためのフローチャートである。
【図９】図１に示す端末装置の実施の形態２における構成を示す概略図である。
【図１０】実施の形態２におけるフレーム長変調の方法を示す図である。
【図１１】実施の形態２における基地局の切替方法を示すフローチャートである。
【発明を実施するための形態】
【００１８】
本発明の実施の形態について図面を参照しながら詳細に説明する。なお、図中同一または相当部分には同一符号を付してその説明は繰返さない。
【００１９】
図１は、この発明の実施の形態における無線通信ネットワークの概略図である。図１を参照して、この発明の実施の形態における無線通信ネットワーク１０は、基地局１〜３と、端末装置４とを備える。なお、図１においては、基地局２，３に帰属する端末装置は、省略されている。
【００２０】
基地局１〜３は、それぞれ、通信領域ＲＥＧ１〜ＲＥＧ３を有する。そして、通信領域ＲＥＧ１〜ＲＥＧ３は、一部が相互に重複している。また、基地局１〜３は、同じネットワーク識別子（ＥＳＳＩＤ:Extended Service Set Identifier）を有する。
【００２１】
基地局１〜３は、それぞれ、自己の通信領域ＲＥＧ１〜ＲＥＧ３内に存在する端末装置を管理するためのビーコンフレームＢｅａｃｏｎ（＝制御フレーム）を定期的に送信するとともに、自己の通信領域ＲＥＧ１〜ＲＥＧ３内に存在する端末装置と無線通信を行う起動状態と、自己の通信領域ＲＥＧ１〜ＲＥＧ３内に存在する端末装置と無線通信（＝データの送受信）を行うことができないスリープ状態とを有する。
【００２２】
基地局１〜３は、一定の期間、自己の通信領域ＲＥＧ１〜ＲＥＧ３内に存在する端末装置と無線通信を行わなかったとき、または自己に帰属する端末装置が存在しないとき（即ち、通信領域ＲＥＧ１〜ＲＥＧ３内に端末装置が存在しないとき）、起動状態からスリープ状態へ移行する。
【００２３】
また、基地局１〜３は、スリープ状態において、自己の通信領域ＲＥＧ１〜ＲＥＧ３内に存在する端末装置から自己をスリープ状態から起動状態へ移行させるためのウェイクアップ信号を受信すると、スリープ状態から起動状態へ移行する。そして、基地局１〜３は、自己の通信領域ＲＥＧ１〜ＲＥＧ３内に存在する端末装置と無線通信を行う。この場合、基地局１〜３は、例えば、２．４５ＧＨｚ帯で自己の通信領域ＲＥＧ１〜ＲＥＧ３内に存在する端末装置と無線通信を行う。
【００２４】
端末装置４は、基地局１の通信領域ＲＥＧ１内に配置されており、基地局１と無線通信を行う。
【００２５】
また、端末装置４は、通信領域ＲＥＧ１から他の通信領域（通信領域ＲＥＧ２，ＲＥＧ３のいずれか）へ移動するとき、後述する方法によって、ウェイクアップ信号を基地局２，３へ送信し、接続先を基地局１から他の基地局（基地局２，３のいずれか）へ切り替える。
【００２６】
［実施の形態１］
図２は、図１に示す基地局１の構成図である。図２を参照して、基地局１は、アンテナ１１と、切替器１２と、ウェイクアップ信号受信機１３と、メイン装置１４と、電源１５とを含む。
【００２７】
アンテナ１１は、切替器１２を介してウェイクアップ信号受信機１３またはメイン装置１４に接続される。
【００２８】
切替器１２は、アンテナ１１と、ウェイクアップ信号受信機１３およびメイン装置１４との間に接続される。
【００２９】
アンテナ１１は、無線通信によって端末装置４から無線フレームを受信し、その受信した無線フレームを切替器１２を介してウェイクアップ信号受信機１３またはメイン装置１４へ出力する。また、アンテナ１１は、メイン装置１４から受けた無線フレームを無線通信によって端末装置４へ送信する。
【００３０】
切替器１２は、メイン装置１４からの制御信号ＣＴＬに応じて、アンテナ１１をウェイクアップ信号受信機１３またはメイン装置１４に接続する。
【００３１】
ウェイクアップ信号受信機１３は、例えば、１００μＷの電力を電源１５から受け、その受けた電力によって駆動される。また、ウェイクアップ信号受信機１３は、メイン装置１４がスリープ状態にあるとき、切替器１２を介してアンテナ１１に接続される。そして、ウェイクアップ信号受信機１３は、アンテナ１１を介して端末装置４から無線フレームを受信すると、その受信した無線フレームの長さによって表されるウェイクアップＩＤを検出し、その検出したウェイクアップＩＤが基地局１のＩＤに一致するか否かを判定する。ウェイクアップ信号受信機１３は、ウェイクアップＩＤが基地局１のＩＤに一致すると判定したとき、起動信号を生成し、その生成した起動信号をメイン装置１４へ出力する。
【００３２】
一方、ウェイクアップ信号受信機１３は、ウェイクアップＩＤが基地局１のＩＤに一致しないとき、無線フレームを破棄する。そして、ウェイクアップ信号受信機１３は、無線フレームの受信を待つ状態になる。
【００３３】
なお、ウェイクアップ信号受信機１３は、基地局１をウェイクアップさせるための無線フレームを受信する機能のみを有し、無線フレームを送信する機能を有しない。
【００３４】
メイン装置１４は、例えば、７Ｗの電力を電源１５から受け、その受けた電力によって駆動される。
【００３５】
メイン装置１４は、起動状態であるとき、アンテナ１１を介して端末装置４と無線通信を行い、有線ケーブル２０を介して他の通信装置と通信を行う。
【００３６】
また、メイン装置１４は、一定の期間Ｔ１、端末装置４と無線通信を行わなかったとき、または基地局１に帰属する端末装置が存在しないとき、起動状態からスリープ状態へ移行する。なお、一定の期間Ｔ１は、例えば、数十秒に設定される。
【００３７】
更に、メイン装置１４は、スリープ状態にあるときに、ウェイクアップ信号受信機１３から起動信号を受けると、スリープ状態から起動状態へ移行する。
【００３８】
電源１５は、１００μＷの電力をウェイクアップ信号受信機１３へ供給し、７Ｗの電力をメイン装置１４へ供給する。
【００３９】
切替器１２は、スイッチ１２１と、端子１２２，１２３とを含む。メイン装置１４は、無線通信モジュール１４１と、有線通信モジュール１４２と、ホストシステム１４３とを含む。
【００４０】
スイッチ１２１は、アンテナ１１に接続される。端子１２２は、ウェイクアップ信号受信機１３に接続される。端子１２３は、無線通信モジュール１４１に接続される。
【００４１】
スイッチ１２１は、メイン装置１４のホストシステム１４３から制御信号ＣＴＬを受ける。そして、スイッチ１２１は、その制御信号ＣＴＬによってアンテナ１１を端子１２２または端子１２３に接続する。
【００４２】
この場合、制御信号ＣＴＬは、Ｌ（論理ロー）レベルの信号、またはＨ（論理ハイ）レベルの信号からなる。そして、スイッチ１２１は、制御信号ＣＴＬがＬレベルの信号からなる場合、アンテナ１１を端子１２２に接続し、制御信号ＣＴＬがＨレベルの信号からなる場合、アンテナ１１を端子１２３に接続する。
【００４３】
無線通信モジュール１４１は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態は、無線通信モジュール１４１が動作を停止した状態である。
【００４４】
そして、無線通信モジュール１４１は、起動状態へ移行すると、基地局１が起動したことを端末装置４へ通知するための無線フレーム（起動通知）を生成し、その生成した無線フレーム（起動通知）を端末装置４へ送信する。
【００４５】
その後、無線通信モジュール１４１は、アンテナ１１を介してビーコンフレームＢｅａｃｏｎを定期的に送信し、端末装置４との間で無線通信リンクを確立する。そして、無線通信モジュール１４１は、端末装置４と無線通信を行う。この場合、無線通信モジュール１４１は、端末装置４から受信した無線フレームからデータを取り出してホストシステム１４３へ出力し、ホストシステム１４３から受けたデータを含む無線フレームを生成して端末装置４へ送信する。
【００４６】
有線通信モジュール１４２は、有線ケーブル２０を介して他の通信装置からデータを受信し、その受信したデータをホストシステム１４３へ出力する。
【００４７】
また、有線通信モジュール１４２は、ホストシステム１４３からデータを受け、その受けたデータを有線ケーブル２０を介して他の通信装置へ送信する。
【００４８】
更に、有線通信モジュール１４２は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態は、有線通信モジュール１４２が動作を停止した状態である。
【００４９】
ホストシステム１４３は、一定の期間Ｔ１、端末装置４からの無線フレームを無線通信モジュール１４１を介して受けないとき、または通信範囲ＲＥＧ１内に端末装置が存在しないとき、コマンド信号ＣＯＭ１を生成し、その生成したコマンド信号ＣＯＭ１を無線通信モジュール１４１および有線通信モジュール１４２へ出力するとともに、Ｌレベルの制御信号ＣＴＬを生成して切替器１２へ出力する。そして、ホストシステム１４３は、スリープ状態（＝停止状態）へ移行する。
【００５０】
また、ホストシステム１４３は、ウェイクアップ信号受信機１３から起動信号を受けると、スリープ状態から起動状態へ移行する。そして、ホストシステム１４３は、コマンド信号ＣＯＭ２を生成し、その生成したコマンド信号ＣＯＭ２を無線通信モジュール１４１および有線通信モジュール１４２へ出力するとともに、Ｈレベルの制御信号ＣＴＬを生成して切替器１２へ出力する。
【００５１】
更に、ホストシステム１４３は、無線通信モジュール１４１からデータを受けると、その受けたデータを有線通信モジュール１４２へ出力する。
【００５２】
更に、ホストシステム１４３は、有線通信モジュール１４２からデータを受けると、その受けたデータを無線通信モジュール１４１へ出力する。
【００５３】
更に、ホストシステム１４３は、通信範囲ＲＥＧ１内に存在する端末装置を管理する。
【００５４】
図３は、図２に示すウェイクアップ信号受信機１３の構成図である。図３を参照して、ウェイクアップ信号受信機１３は、包絡線検波器１３１と、ビット判定器１３２と、フレーム長検出器１３３と、ＩＤ識別器１３４とを含む。
【００５５】
包絡線検波器１３１は、アンテナ１１および切替器１２を介して電波を受信し、その受信した受信電波を包絡線検波し、その検波した検波信号をビット判定器１３２へ出力する。
【００５６】
ビット判定器１３２は、包絡線検波器１３１から受けた検波信号を“０”または“１”のビット値に変換し、その変換後のビット列をフレーム長検出器１３３へ出力する。
【００５７】
フレーム長検出器１３３は、ビット判定器１３２から受けたビット列に基づいて無線フレームのフレーム長を検出する。より具体的には、フレーム長検出器１３３は、“１”のビット値の個数を累計し、“０”のビット値が入力されれば、累計値をＩＤ識別器１３４へ出力するとともに、累計値をリセットする。
【００５８】
ＩＤ識別器１３４は、累計値をフレーム長検出器１３３から受け、その受けた累計値を後述する方法によってビット列に変換する。そして、ＩＤ識別器１３４は、その変換したビット列を保持する。
【００５９】
そうすると、ＩＤ識別器１３４は、保持したビット列が基地局１の識別情報（ＩＤ）に一致するとき、起動信号を生成してホストシステム１４３へ出力する。
【００６０】
なお、ＩＤ識別器１３４は、保持したビット列のビット長がウェイクアップＩＤの長さを超える場合、ビット列のうち、最も古いビット値から順に破棄する。
【００６１】
このように、ウェイクアップ信号受信機１３は、バンドパスフィルタを備えていないので、アンテナ１１を介して受信した全ての受信電波に基づいてウェイクアップＩＤを検出する。即ち、ウェイクアップ信号受信機１３は、無線通信ネットワーク１０において使用可能な全てのチャネルのいずれかで送信された電波を受信してウェイクアップＩＤを検出する。
【００６２】
なお、図１に示す基地局２，３の各々も、図２および図３に示す基地局１と同じ構成からなる。
【００６３】
図４は、図１に示す端末装置４の実施の形態１における構成を示す概略図である。図４を参照して、端末装置４は、アンテナ４１と、無線通信モジュール４２と、ホストシステム４３とを含む。ホストシステム４３は、ウェイクアップ信号生成部４３１を含む。
【００６４】
無線通信モジュール４２は、アンテナ４１を介して基地局１から起動通知を受信すると、基地局１との間で無線通信リンクを確立し、基地局１との間で無線通信を行う。
【００６５】
この場合、無線通信モジュール４２は、アンテナ４１を介して基地局１から無線フレームを受信し、その受信した無線フレームを復調してデータを取り出し、その取り出したデータをホストシステム４３へ出力する。また、無線通信モジュール４２は、基地局１から無線フレームを受信したときの受信信号強度ＲＳＳＩ１を検出し、その検出した受信信号強度ＲＳＳＩ１をホストシステム４３へ出力する。更に、無線通信モジュール４２は、ホストシステム４３からデータを受け、その受けたデータを含む無線フレームを生成し、その生成した無線フレームを無線ＬＡＮによる変調方式によって変調し、その変調した無線フレームをアンテナ４１を介して基地局１へ送信する。
【００６６】
無線通信モジュール４２は、ホストシステム４３のウェイクアップ信号生成部４３１からウェイクアップＩＤを受けると、その受けたウェイクアップＩＤを後述する方法によってフレーム長変調し、そのフレーム長変調したウェイクアップＩＤ（＝ウェイクアップ信号）をアンテナ４１を介して基地局２，３へ送信する。
【００６７】
無線通信モジュール４２は、ウェイクアップ信号を送信した後、アンテナ４１を介して基地局２および／または基地局３からビーコンフレームＢｅａｃｏｎを受信すると、そのビーコンフレームＢｅａｃｏｎを受信したときの受信信号強度ＲＳＳＩｊ（ｊ＝２，３）を検出し、その検出した受信信号強度ＲＳＳＩｊをホストシステム４３へ出力する。
【００６８】
無線通信モジュール４２は、接続先を基地局１から他の基地局（基地局２または基地局３）へ切り替えるためのコマンド信号ＣＯＭ４をホストシステム４３から受けると、接続先を基地局１から他の基地局（基地局２または基地局３）へ切り替える。
【００６９】
ホストシステム４３は、無線通信モジュール４２がアンテナ４１を介して受信したビーコンフレームＢｅａｃｏｎを無線通信モジュール４２から受ける。そして、ホストシステム４３は、その受けたビーコンフレームＢｅａｃｏｎに含まれるＥＳＳＩＤまたはＢＳＳＩＤを取り出して管理するとともに、ＥＳＳＩＤまたはＢＳＳＩＤに基づいて、端末装置４が帰属する基地局１を管理する。
【００７０】
また、ホストシステム４３は、基地局１からビーコンフレームＢｅａｃｏｎを受信しないとき、基地局１がスリープ状態であると判定し、コマンド信号ＣＯＭ３およびＥＳＳＩＤ（またはＢＳＳＩＤ）をウェイクアップ信号生成部４３１へ出力する。
【００７１】
更に、ホストシステム４３は、しきい値ｔｈ１，ｔｈ２を保持しており、受信信号強度ＲＳＳＩ１を無線通信モジュール４２から受けると、受信信号強度ＲＳＳＩ１がしきい値ｔｈ１よりも小さいか否かを判定する。そして、ホストシステム４３は、受信信号強度ＲＳＳＩ１がしきい値ｔｈ１よりも小さいとき、コマンド信号ＣＯＭ３およびＥＳＳＩＤ（またはＢＳＳＩＤ）をウェイクアップ信号生成部４３１へ出力する。また、ホストシステム４３は、受信信号強度ＲＳＳＩ１がしきい値ｔｈ１以上であるとき、コマンド信号ＣＯＭ３およびＥＳＳＩＤ（またはＢＳＳＩＤ）をウェイクアップ信号生成部４３１へ出力しない。
【００７２】
なお、しきい値ｔｈ１は、例えば、−７０ｄＢｍに設定され、しきい値ｔｈ２は、例えば、−６０ｄＢｍに設定される。
【００７３】
更に、ホストシステム４３は、受信信号強度ＲＳＳＩｊを無線通信モジュール４２から受けると、受信信号強度ＲＳＳＩｊがしきい値ｔｈ２よりも大きいか否かを判定する。そして、ホストシステム４３は、受信信号強度ＲＳＳＩｊがしきい値ｔｈ２よりも大きいとき、コマンド信号ＣＯＭ４を生成して無線通信モジュール４２へ出力する。また、ホストシステム４３は、受信信号強度ＲＳＳＩｊがしきい値ｔｈ２以下であるとき、コマンド信号ＣＯＭ４を無線通信モジュール４２へ出力しない。
【００７４】
更に、ホストシステム４３は、無線通信モジュール４２からデータを受けるとともに、データを生成して無線通信モジュール４２へ出力する。
【００７５】
ウェイクアップ信号生成部４３１は、コマンド信号ＣＯＭ３およびＥＳＳＩＤ（またはＢＳＳＩＤ）をホストシステム４３から受けると、ＥＳＳＩＤ、ＢＳＳＩＤ、およびそれらのハッシュ値のいずれかからなるウェイクアップＩＤを生成し、その生成したウェイクアップＩＤを無線通信モジュール４２へ出力する。なお、ウェイクアップＩＤは、端末装置４が起動させる基地局を示す情報である。
【００７６】
図５は、ビット列とフレーム長との関係を示す図である。図５を参照して、テーブルＴＢＬ１は、ビット列とフレーム長とを含む。ビット列およびフレーム長は、相互に対応付けられる。
【００７７】
１０００μｓのフレーム長は、ビット列“００”に割り当てられ、１２００μｓのフレーム長は、ビット列“０１”に割り当てられ、１４００μｓのフレーム長は、ビット列“１０”に割り当てられ、１６００μｓのフレーム長は、ビット列“１１”に割り当てられる。
【００７８】
例えば、ウェイクアップＩＤが“１０１１００１０”のビット列からなる場合、ビット列“１０１１００１０”は、２ビットのビット列“１０”，“１１”，“００”，“１０”に分割される。
【００７９】
そして、１４００μｓのフレーム長がビット列“１０”に割り当てられ、１６００μｓのフレーム長がビット列“１１”に割り当てられ、１０００μｓのフレーム長がビット列“００”に割り当てられ、１４００μｓのフレーム長がビット列“１０”に割り当てられる。
【００８０】
その結果、“１０１１００１０”のウェイクアップＩＤは、１４００μｓ／１６００μｓ／１０００μｓ／１４００μｓのフレーム長にフレーム長変調される。
【００８１】
端末装置４の無線通信モジュール４２は、テーブルＴＢＬ１を保持している。そして、無線通信モジュール４２は、ウェイクアップＩＤをウェイクアップ信号生成部４３１から受けると、その受けたウェイクアップＩＤを２ビットづつのビット列に分割し、テーブルＴＢＬ１を参照して、その分割した２ビットの各ビット列にフレーム長を割り当てる。
【００８２】
そうすると、無線通信モジュール４２は、ウェイクアップＩＤをフレーム長変調したときのフレーム長を有する無線フレームをアンテナ４１を介して送信する。
【００８３】
なお、無線通信モジュール４２は、ウェイクアップＩＤがビット列“１０１１００１０”以外のビット列からなる場合も、同様にして、ウェイクアップＩＤをフレーム長変調して送信する。
【００８４】
図６は、包絡線検波およびビット判定の概念図である。図６を参照して、ウェイクアップ信号受信機１３の包絡線検波器１３１は、アンテナ１１および切替器１２を介して無線フレームＦＲを受信する。無線フレームＦＲは、例えば、１０００（μｓ）のフレーム長Ｌを有する（（ａ）参照）。
【００８５】
包絡線検波器１３１は、無線フレームＦＲの包絡線ＥＶＬを検出し、その検出した包絡線ＥＶＬを１０（μｓ）毎に検波し、検波値Ｉ１〜Ｉ１０１を検出する（（ｂ）参照）。
【００８６】
そして、包絡線検波器１３１は、検波値Ｉ１〜Ｉ１０１をビット判定器１３２へ出力する。ビット判定器１３２は、検波値Ｉ１〜Ｉ１０１をビット判定し、“１１１・・・１１１０”のビット列を得る。そして、ビット判定器１３２は、“１１１・・・１１１０”のビット列をフレーム長検出器１３３へ出力する。
【００８７】
フレーム長検出器１３３は、“１１１・・・１１１０”のビット列の先頭から“１”のビット値の個数を累積し、“１００”の累積値を検出する。そして、フレーム長検出器１３３は、１０１個目のビット値が“０”であるので、“１００”の累積値ｃをＩＤ識別器１３４へ出力するとともに、累積値ｃをリセットする。
【００８８】
なお、無線フレームＦＲが１０００μｓ以外のフレーム長を有する場合も、上述した方法によって累積値ｃが検出される。
【００８９】
図７は、累積値とビット列との変換表を示す図である。図７を参照して、テーブルＴＢＬ２は、累積値とビット列とを含む。累積値およびビット列は、相互に対応付けられる。
【００９０】
“００”のビット列は、１００の累積値ｃに対応付けられる。“０１”のビット列は、１２０の累積値ｃに対応付けられる。“１０”のビット列は、１４０の累積値ｃに対応付けられ、“１１”のビット列は、１６０の累積値ｃに対応付けられる。
【００９１】
ＩＤ識別器１３４は、テーブルＴＢＬ２を保持している。そして、ＩＤ識別器１３４は、フレーム長検出器１３３から１００の累積値ｃを受けると、テーブルＴＢＬ２を参照して“００”のビット列を検出する。また、ＩＤ識別器１３４は、フレーム長検出器１３３から１２０の累積値ｃを受けると、テーブルＴＢＬ２を参照して“０１”のビット列を検出する。ＩＤ識別器１３４は、他の累積値ｃをフレーム長検出器１３３から受けた場合も、テーブルＴＢＬ２を参照してビット列を検出する。
【００９２】
そして、ＩＤ識別器１３４は、その検出した２ビットのビット列を配列してウェイクアップＩＤ＝“１０１１００１０”を取得し、その取得したウェイクアップＩＤ＝“１０１１００１０”が基地局（基地局１〜３のいずれか）の識別情報（ＩＤ）に一致する場合、起動信号を生成してメイン装置１４へ出力する。
【００９３】
図８は、実施の形態１における基地局の切替方法を説明するためのフローチャートである。
【００９４】
端末装置４は、通信領域ＲＥＧ１と通信領域ＲＥＧ２との重複領域に存在するとき、基地局１，２の両方からビーコンフレームＢｅａｃｏｎを受信する。また、端末装置４は、通信領域ＲＥＧ１と通信領域ＲＥＧ３との重複領域に存在するとき、基地局１，３の両方からビーコンフレームＢｅａｃｏｎを受信する。更に、端末装置４は、通信領域ＲＥＧ１〜ＲＥＧ３の重複領域に存在するとき、基地局１〜３の全てからビーコンフレームＢｅａｃｏｎを受信する。従って、端末装置４は、過去に、上述した重複領域へ移動したとき、基地局２，３からもビーコンフレームＢｅａｃｏｎを受信し、ホストシステム４３は、基地局２，３のＥＳＳＩＤを保持している。そして、端末装置４が通信領域ＲＥＧ１から他の通信領域（通信領域ＲＥＧ２，ＲＥＧ３のいずれか）へ移動するとき、基地局２，３がスリープ状態へ移行していることも想定される。
【００９５】
そこで、図８においては、基地局２，３がスリープ状態であり、端末装置４のホストシステム４３が基地局２，３のＥＳＳＩＤを保持していることを前提として基地局の切替方法を説明する。
【００９６】
図８を参照して、端末装置４は、基地局１との間で無線通信を行っている（ステップＳ１）。
【００９７】
そして、端末装置４の無線通信モジュール４２は、基地局１からアンテナ４１を介して無線フレームを受信すると、無線フレームを受信したときの受信信号強度ＲＳＳＩ１を検出し（ステップＳ２）、その検出した受信信号強度ＲＳＳＩ１をホストシステム４３へ出力する。
【００９８】
その後、端末装置４のホストシステム４３は、受信信号強度ＲＳＳＩ１を無線通信モジュール４２から受け、その受けた受信信号強度ＲＳＳＩ１がしきい値ｔｈ１よりも小さいか否かを判定する（ステップＳ３）。
【００９９】
ステップＳ３において、受信信号強度ＲＳＳＩ１がしきい値ｔｈ１よりも小さいと判定されると、ホストシステム４３は、基地局２，３のＥＳＳＩＤおよびコマンド信号ＣＯＭ３をウェイクアップ信号生成部４３１へ出力する。
【０１００】
端末装置４のウェイクアップ信号生成部４３１は、コマンド信号ＣＯＭ３に応じて、ＥＳＳＩＤのハッシュ値を演算してウェイクアップＩＤを生成する。また、ウェイクアップ信号生成部４３１は、任意のペイロードサイズを有する意味の無いデータＤａｔａを生成する。そして、ウェイクアップ信号生成部４３１は、その生成したウェイクアップＩＤおよびデータＤａｔａを無線通信モジュール４２へ出力する。
【０１０１】
端末装置４の無線通信モジュール４２は、ウェイクアップＩＤおよびデータＤａｔａを受けると、テーブルＴＢＬ１を参照して、その受けたウェイクアップＩＤをフレーム長に変調してウェイクアップＩＤを構成する複数のフレーム長を生成する。そして、無線通信モジュール４２は、その生成した複数のフレーム長を有するように伝送レートを調整して複数の無線フレームを送信する。
【０１０２】
例えば、ウェイクアップＩＤが“１０１１００１０”のビット列からなる場合、無線通信モジュール４２は、ビット列“１０１１００１０”を２ビットのビット列“１０”，“１１”，“００”，“１０”に分割する。
【０１０３】
そして、無線通信モジュール４２は、テーブルＴＢＬ１を参照して、ビット列“１０”に１４００μｓのフレーム長を割り当て、ビット列“１１”に１６００μｓのフレーム長を割り当て、ビット列“００”に１０００μｓのフレーム長を割り当て、ビット列“１０”に１４００μｓのフレーム長を割り当てる。
【０１０４】
その結果、無線通信モジュール４２は、“１０１１００１０”のウェイクアップＩＤを構成する４個のフレーム長１４００μｓ，１６００μｓ，１０００μｓ，１４００μｓを生成する。
【０１０５】
そして、無線通信モジュール４２は、伝送レートとデータ長とを調整してフレーム長が１４００μｓになるようにデータＤａｔａを送信し、その後、伝送レートとデータ長とを調整してフレーム長が１６００μｓになるようにデータＤａｔａを送信し、引き続いて、伝送レートとデータ長とを調整してフレーム長が１０００μｓになるようにデータＤａｔａを送信し、最後に、伝送レートとデータ長とを調整してフレーム長が１４００μｓになるようにデータＤａｔａを送信する。この場合、無線通信モジュール４２は、基地局１との無線通信に用いているチャネルと異なるチャネルに切り替えてフレーム長が１４００μｓ，１６００μｓ，１０００μｓ，１４００μｓになるようにデータＤａｔａを送信する。
【０１０６】
このように、端末装置４は、基地局１との無線通信に用いているチャネルと異なるチャネルでフレーム長変調によってウェイクアップ信号を送信する（ステップＳ４）。
【０１０７】
そして、端末装置４の無線通信モジュール４２は、一定期間Ｔ２だけ待機する（ステップＳ５）。なお、一定期間Ｔ２は、例えば、１秒に設定される。
【０１０８】
基地局２，３のウェイクアップ信号受信機１３は、端末装置４から送信された複数の無線フレーム（＝ウェイクアップ信号）を受信し、その受信した複数の無線フレーム（＝ウェイクアップ信号）に基づいて、上述した方法によってフレーム長を検出し、テーブルＴＢＬ２を参照して、その検出したフレーム長を２ビットのビット列に変換して“１０１１００１０”からなるウェイクアップＩＤを取得する。そして、基地局２のウェイクアップ信号受信機１３は、その取得したウェイクアップＩＤ＝“１０１１００１０”が基地局２のＩＤに一致するとき、起動信号を生成してメイン装置１４へ出力し、メイン装置１４は、スリープ状態から起動状態へ移行する。基地局３も同様にしてスリープ状態から起動状態へ移行する。即ち、基地局２，３は、ウェイクアップ信号に基づいて起動する（ステップＳ６）。
【０１０９】
そして、基地局２，３の無線通信モジュール１４１は、ビーコンフレームＢｅａｃｏｎを定期的に送信する（ステップＳ７）。
【０１１０】
端末装置４の無線通信モジュール４２は、全てのチャネルでバックグラウンドスキャンを行う（ステップＳ８）。そして、無線通信モジュール４２は、ビーコンフレームＢｅａｃｏｎを受信し、ビーコンフレームＢｅａｃｏｎを受信したときの受信信号強度ＲＳＳＩｊを検出する（ステップＳ９）。即ち、無線通信モジュール４２は、基地局２からビーコンフレームＢｅａｃｏｎを受信したときの受信信号強度ＲＳＳＩ２と、基地局３からビーコンフレームＢｅａｃｏｎを受信したときの受信信号強度ＲＳＳＩ３とを検出する。
【０１１１】
そして、無線通信モジュール４２は、その検出した受信信号強度ＲＳＳＩｊをホストシステム４３へ出力する。
【０１１２】
端末装置４のホストシステム４３は、受信信号強度ＲＳＳＩｊを受けると、受信信号強度ＲＳＳＩｊがしきい値ｔｈ２よりも大きいか否かを判定する（ステップＳ１０）。
【０１１３】
ステップＳ１０において、受信信号強度ＲＳＳＩｊがしきい値ｔｈ２よりも大きいと判定されたとき、ホストシステム４３は、コマンド信号ＣＯＭ４を生成して無線通信モジュール４２へ出力する。なお、コマンド信号ＣＯＭ４は、接続先を切り替えるべき基地局（基地局２，３のいずれか）を示す情報を含む。また、受信信号強度ＲＳＳＩ２，ＲＳＳＩ３の両方がしきい値ｔｈ２よりも大きいとき、接続先を切り替えるべき基地局は、基地局２，３から任意に選択される。
【０１１４】
無線通信モジュール４２は、コマンド信号ＣＯＭ４に応じて、受信信号強度ＲＳＳＩｊが得られた基地局（基地局２または基地局３）へ接続先を切り替える（ステップＳ１１）。
【０１１５】
一方、ステップＳ１０において、受信信号強度ＲＳＳＩｊがしきい値ｔｈ２以下であると判定されたとき、ホストシステム４３は、受信信号強度ＲＳＳＩ１がしきい値ｔ１よりも小さいか否かを更に判定する（ステップＳ１２）。
【０１１６】
ステップＳ１２において、受信信号強度ＲＳＳＩ１がしきい値ｔｈ１よりも小さいと判定されたとき、一連の動作は、ステップＳ４へ戻り、ステップＳ４〜ステップＳ１２が実行される。
【０１１７】
一方、ステップＳ１２において、受信信号強度ＲＳＳＩ１がしきい値ｔｈ１以上であると判定されたとき、またはステップＳ１１の後、一連の動作は、終了する。
【０１１８】
このように、基地局２，３がスリープ状態にあるときに、端末装置４は、基地局１から受信した無線フレームの受信信号強度ＲＳＳＩ１がしきい値ｔｈ１よりも小さいと判定されたとき、フレーム長変調によってウェイクアップ信号を基地局２，３へ送信して基地局２，３を起動状態へ移行させ、基地局２，３のうち、受信信号強度ＲＳＳＩｊがしきい値ｔｈ２よりも大きくなる基地局（基地局２，３のいずれか）へ接続先を切り替える。
【０１１９】
従って、基地局２，３がスリープ状態にあっても、端末装置４は、迅速にハンドオーバーできる。
【０１２０】
また、端末装置４は、受信信号強度ＲＳＳＩ１がしきい値ｔｈ１よりも小さいときにウェイクアップ信号を送信するが（ステップＳ３の“ＹＥＳ”およびステップＳ４参照）、これは、端末装置４が通信領域ＲＥＧ１と通信領域ＲＥＧ２および／または通信領域ＲＥＧ３との境界領域へ移動し、基地局１から受信した無線フレームの受信信号強度ＲＳＳＩ１が小さくなったので、ハンドオーバーする必要があるからである。従って、しきい値ｔｈ１は、端末装置４が通信領域ＲＥＧ１と通信領域ＲＥＧ２および／または通信領域ＲＥＧ３との境界領域へ移動したことを示す受信信号強度に設定される。
【０１２１】
なお、実施の形態１においては、しきい値ｔｈ２は、一般的に、しきい値ｔｈ１以上の値に設定される。そして、実施の形態１においては、しきい値ｔｈ２は、しきい値ｔｈ１と同じであってもよい。
【０１２２】
［実施の形態２］
図９は、図１に示す端末装置４の実施の形態２における構成を示す概略図である。図１に示す端末装置４は、実施の形態２においては、図９に示す端末装置４Ａからなる。
【０１２３】
図９を参照して、端末装置４Ａは、図４に示す端末装置４の無線通信モジュール４２を無線通信モジュール４２Ａに代えたものであり、その他は、端末装置４と同じである。
【０１２４】
無線通信モジュール４２Ａは、ウェイクアップＩＤをウェイクアップ信号生成部４３１から受けると、基地局１との無線通信に用いられているデータのデータ長をウェイクアップＩＤに応じて変調して送信する。
【０１２５】
無線通信モジュール４２Ａは、その他、無線通信モジュール４２と同じ機能を果たす。
【０１２６】
図１０は、実施の形態２におけるフレーム長変調の方法を示す図である。端末装置４Ａが基地局１との無線通信に用いているデータを２００バイトのデータとする。そして、２００バイトのデータが“００”のビット列に割り当てられ、２０５バイトのデータが“０１”のビット列に割り当てられ、２１０バイトのデータが“１０”のビット列に割り当てられ、２１５バイトのデータが“１１”のビット列に割り当てられる。
【０１２７】
この場合、２００バイトのデータに５バイトのパディングを追加することによって２０５バイトのデータが生成され、２００バイトのデータに１０バイトのパディングを追加することによって２１０バイトのデータが生成され、２００バイトのデータに１５バイトのパディングを追加することによって２１５バイトのデータが生成される。
【０１２８】
そして、無線フレームＦＲ１〜ＦＲ４は、それぞれ、２００バイトのデータ、２０５バイトのデータ、２１０バイトのデータおよび２１５バイトのデータからなる（図１０の（ａ）参照）。
【０１２９】
無線通信モジュール４２Ａは、ウェイクアップＩＤを受けると、ウェイクアップＩＤを構成するビット列を先頭から２ビットづつに分割し、その分割した２ビットの各ビット列に図１０の（ａ）に示す方法に従って各データ長を有するデータを割り当ててウェイクアップＩＤを構成する複数の無線フレームを生成する。
【０１３０】
例えば、ウェイクアップＩＤが“１０１１００１０”からなる場合、無線通信モジュール４２Ａは、ウェイクアップＩＤ＝“１０１１００１０”を構成する無線フレームＦＲ３／ＦＲ４／ＦＲ１／ＦＲ３を生成する。
【０１３１】
そして、無線通信モジュール４２Ａは、その生成した複数の無線フレームＦＲ３／ＦＲ４／ＦＲ１／ＦＲ３を一定の伝送レートで送信する。
【０１３２】
また、５．５Ｍｂｐｓの伝送レートが“００”のビット列に割り当てられ、１１Ｍｂｐｓの伝送レートが“０１”のビット列に割り当てられ、２２Ｍｂｐｓの伝送レートが“１０”のビット列に割り当てられ、４４Ｍｂｐｓの伝送レートが“１１”のビット列に割り当てられる。
【０１３３】
そして、無線通信モジュール４２Ａは、一定のデータ長を有するデータ（例えば、２００バイトのデータ）をウェイクアップＩＤを構成するビット列に応じた伝送レート（５．５Ｍｂｐｓ，１１Ｍｂｐｓ，２２Ｍｂｐｓ，４４Ｍｂｐｓのいずれか）で送信する。より具体的には、無線通信モジュール４２Ａは、ウェイクアップＩＤを構成するビット列を２ビットづつのビット列に分割し、その分割した各ビット列に応じて５．５Ｍｂｐｓ，１１Ｍｂｐｓ，２２Ｍｂｐｓ，４４Ｍｂｐｓのいずれかの伝送レートを選択し、その選択した伝送レートを用いて一定のデータ長を有するデータを送信する。
【０１３４】
その結果、“００”のビット列に対応する無線フレームＦＲ１は、フレーム長Ｌ１を有し、“０１”のビット列に対応する無線フレームＦＲ２は、フレーム長Ｌ２を有し、“１０”のビット列に対応する無線フレームＦＲ３は、フレーム長Ｌ３を有し、“１１”のビット列に対応する無線フレームＦＲ４は、フレーム長Ｌ４を有する（図１０の（ｂ）参照）。
【０１３５】
更に、無線通信モジュール４２Ａは、１０００バイトのデータをフラグメンテーションによって２００バイト、２２０バイト、２８０バイトおよび３００バイトの４個のデータに分割する。そして、無線通信モジュール４２Ａは、“００”のビット列に応じて、２００バイトのデータが１０００μｓのフレーム長を有するように伝送レートを調整して送信する。また、無線通信モジュール４２Ａは、“０１”のビット列に応じて、２２０バイトのデータが１２００μｓのフレーム長を有するように伝送レートを調整して送信する。更に、無線通信モジュール４２Ａは、“１０”のビット列に応じて、２８０バイトのデータが１４００μｓのフレーム長を有するように伝送レートを調整して送信する。更に、無線通信モジュール４２Ａは、“１１”のビット列に応じて、３００バイトのデータが１６００μｓのフレーム長を有するように伝送レートを調整して送信する。
【０１３６】
その結果、“００”のビット列に対応する無線フレームＦＲ１は、１０００μｓのフレーム長を有し、“０１”のビット列に対応する無線フレームＦＲ２は、１２００μｓのフレーム長を有し、“１０”のビット列に対応する無線フレームＦＲ３は、１４００μｓのフレーム長を有し、“１１”のビット列に対応する無線フレームＦＲ４は、１６００μｓのフレーム長を有する（図１０の（ｃ）参照）。
【０１３７】
なお、図１０の（ａ），（ｂ）においては、端末装置４Ａが基地局１との無線通信に用いるデータのデータ長が２００バイトである場合を例にしたが、実際には、２００バイトに限らず、任意のデータ長であってもよい。即ち、無線通信モジュール４２Ａは、ウェイクアップＩＤをウェイクアップ信号生成部４３１から受けたときに、ホストシステム４３から受けたデータに、図１０の（ａ）または図１０の（ｂ）に示す方法によってフレーム長変調したウェイクアップ信号を重畳して送信すればよい。
【０１３８】
また、図１０の（ｂ）においては、伝送レートは、５．５Ｍｂｐｓ，１１Ｍｂｐｓ，２２Ｍｂｐｓ，４４Ｍｂｐｓの伝送レートに限らず、これらの伝送レート以外の伝送レートをビット列“００”，“０１”，“１０”，“１１”に割り当ててもよい。
【０１３９】
更に、図１０の（ｃ）においては、１０００バイトのデータを２００バイト、２２０バイト、２８０バイトおよび３００バイトの４個のデータに分割すると説明したが、実際には、１０００バイトに限らず、任意のデータ長を有するデータを分割してもよい。即ち、無線通信モジュール４２Ａは、ウェイクアップＩＤをウェイクアップ信号生成部４３１から受けたときに、ホストシステム４３から受けたデータをフラグメンテーションによって複数のデータに分割し、その分割した複数のデータに図１０の（ｃ）に示す方法によってフレーム長変調したウェイクアップ信号を重畳して送信すればよい。
【０１４０】
図１１は、実施の形態２における基地局の切替方法を示すフローチャートである。なお、図１１は、図８における前提と同じ前提に基づいて基地局の切替方法を示す。
【０１４１】
図１１に示すフローチャートは、図８に示すフローチャートのステップＳ４をステップＳ４Ａに代えたものであり、その他は、図８に示すフローチャートと同じである。
【０１４２】
図１１を参照して、一連の動作が開始されると、上述したステップＳ１〜ステップＳ３が順次実行される。
【０１４３】
そして、ステップＳ３において受信信号強度ＲＳＳＩ１がしきい値ｔｈ１よりも小さいと判定されたとき、またはステップＳ１２において、受信信号強度ＲＳＳＩ１がしきい値ｔｈ１よりも小さいと判定されたとき、無線通信モジュール４２Ａは、図１０の（ａ）〜（ｃ）のいずれかの方法によって、基地局１との無線通信に用いているデータに重畳してウェイクアップ信号を送信する（ステップＳ４Ａ）。
【０１４４】
その後、上述したステップＳ５〜ステップＳ１２が順次実行される。そして、ステップＳ１１の後、またはステップＳ１２において、受信信号強度ＲＳＳＩ１がしきい値ｔｈ１よりも小さいと判定されたとき、一連の動作が終了する。
【０１４５】
このように、端末装置４Ａは、フレーム長変調によってウェイクアップ信号を基地局１との無線通信に用いているデータに重畳して基地局２，３へ送信し、基地局２，３を起動状態へ移行させ、しきい値ｔｈ２よりも大きい受信信号強度ＲＳＳＩｊが得られた基地局（基地局２，３のいずれか）に接続先を切り替える。
【０１４６】
従って、基地局２，３がスリープ状態にあっても、端末装置４は、迅速にハンドオーバーできる。
【０１４７】
実施の形態２におけるその他の説明は、実施の形態１と同じである。
【０１４８】
上述した実施の形態１，２においては、端末装置４，４Ａは、基地局２，３から受信したビーコンフレームＢｅａｃｏｎの受信信号強度ＲＳＳＩｊを検出し、その検出した受信信号強度ＲＳＳＩｊがしきい値ｔｈ２よりも大きいとき、接続先を基地局１から他の基地局（基地局２，３のいずれか）に切り替える。
【０１４９】
従って、実施の形態１，２において説明した基地局の切替は、ＭＡＣ（Ｍｅｄｉａ  Ａｃｃｅｓｓ  Ｃｏｎｔｒｏｌ）層で実現される。その結果、迅速にハンドオーバーできる。
【０１５０】
なお、この発明の実施の形態においては、受信信号強度ＲＳＳＩ１がしきい値ｔｈ１よりも小さいときウェイクアップ信号を送信する無線通信モジュール４２，４２Ａは、「送信手段」を構成する。
【０１５１】
また、この発明の実施の形態においては、受信信号強度ＲＳＳＩｊがしきい値ｔｈ２よりも大きいとき接続先を基地局１から他の基地局（基地局２，３のいずれか）へ切り替える無線通信モジュール４２，４２Ａは、「切替手段」を構成する。
【０１５２】
更に、この発明の実施の形態においては、基地局２，３からビーコンフレームＢｅａｃｏｎを受信する無線通信モジュール４２，４２Ａは、「受信手段」を構成する。
【０１５３】
更に、この発明の実施の形態においては、ビーコンフレームＢｅａｃｏｎを受信したときの受信信号強度ＲＳＳＩｊを検出する無線通信モジュール４２，４２Ａは、「検出手段」を構成する。
【０１５４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１５５】
この発明は、無線装置およびそれにおける基地局の切替方法に適用される。
【符号の説明】
【０１５６】
１〜３  基地局、４，４Ａ  端末装置、１０  無線通信システム、２０  有線ケーブル、１，４１  アンテナ、１２  切替器、１３  ウェイクアップ信号受信機、１４  メイン装置、１５  電源、４２，４２Ａ，１４１  無線通信モジュール、４３，１４３  ホストシステム、１２１  スイッチ、１２２，１２３  端子、１３１  包絡線検波器、１３２  ビット判定器、１３３  フレーム長検出器、１３４  ＩＤ識別器、１４２  有線通信モジュール、４３１  ウェイクアップ信号生成部。
【図１】
0005965174.tif 000002
【図２】
0005965174.tif 000003
【図３】
0005965174.tif 000004
【図４】
0005965174.tif 000005
【図５】
0005965174.tif 000006
【図６】
0005965174.tif 000007
【図７】
0005965174.tif 000008
【図８】
0005965174.tif 000009
【図９】
0005965174.tif 000010
【図１０】
0005965174.tif 000011
【図１１】
0005965174.tif 000012